(57)【要約】【課題】  使用者がゴルフクラブのスイングに神経を集中でき、また、ヘッドスピード計測装置のセンサ部がいたずら等により破壊されることを防止することができるヘッドスピード計測装置を提供する。【解決手段】  ヘッドスピード計測装置において、ゴルフクラブ４３をスイングしたときに前記ゴルフクラブ先端のヘッド４４の移動状態を周波数に換算し、検知信号として外部に出力するドップラーセンサ１１と、前記検知信号の周波数に基づいてヘッドスピードを算出する速度算出手段と、この速度算出手段にて算出されたヘッドスピードを外部に報知する速度報知手段３１と、を具備し、ゴルフボール固定手段４２に設置されたゴルフボール４１に向かって使用者がゴルフクラブ４３をスイングしたとき、前記ドップラーセンサ１１は使用者から視認できないように地面４５よりも下方に隠蔽した状態で設置される。【選択図】  図３
2009101096.tif 000002
【特許請求の範囲】
【請求項１】
ゴルフクラブをスイングしたときに前記ゴルフクラブ先端のヘッドの移動状態を周波数に換算し、検知信号として外部に出力するドップラーセンサと、
前記検知信号の周波数に基づいてヘッドスピードを算出する速度算出手段と、
該速度算出手段にて算出されたヘッドスピードを外部に報知する速度報知手段と、
を具備し、ゴルフボール固定手段に設置されたゴルフボールに向かって使用者がゴルフクラブをスイングしたとき、前記ドップラーセンサは使用者から視認できないように前記ゴルフボール固定手段の設置面よりも下方に隠蔽した状態で設置されたことを特徴とするヘッドスピード計測装置。
【請求項２】
前記速度報知手段は、前記ドップラーセンサとは別体にて備えたことを特徴とする請求項１記載のヘッドスピード計測装置。
【請求項３】
前記ドップラーセンサと前記速度算出手段を一体化したことを特徴とする請求項１又は２記載のヘッドスピード計測装置。
【発明の詳細な説明】
【技術分野】
【０００１】
本発明は、ゴルフクラブをスイングしたときのヘッドスピードの計測技術に係り、特にドップラーセンサを利用したヘッドスピードの計測技術に関するものである。
【背景技術】
【０００２】
従来、ゴルフクラブをスイングしたときのヘッドスピードを計測し、外部に報知する機器として図４に示すヘッドスピード計測装置が提案されている（下記特許文献１参照）。
【特許文献１】特開２００１−３１４５４０号公報
【発明の開示】
【発明が解決しようとする課題】
【０００３】
上記した従来のヘッドスピード計測装置は、ゴルフクラブのヘッド４４先端に取り付けた磁性体の被検知箔６４の通過時間を検知する複数のセンサ素子６１ａ、６１ｂを所定の間隔で配置したセンサ部と、通過時間に基づいて算出されたヘッドスピードを外部に報知する表示部６２とから構成され、複数のセンサ素子６１ａ，６１ｂと表示部６２は１つの筐体６３に収められ一体化している。そして、ゴルフクラブ４３をスイングしたときゴルフクラブ４３先端に取り付けられたヘッド４４が移動するスイング経路から離れた位置に、スイング経路と並行するよう計測装置を設置し、ヘッドスピードを計測することができる。
【０００４】
しかしながら、このヘッドスピード計測装置は使用者から視認できる場所やゴルフボールが接触する可能性のある場所にセンサ部が設置されていると、使用者は計測機器の存在が気になりゴルフスイングに神経を集中できなかったり、センサ部がいたずらや不慮の事故により破壊されヘッドスピードの算出および表示ができなくなる、といった問題が生じていた。
【０００５】
本発明は、上記状況に鑑みて、使用者がゴルフクラブのスイングに神経を集中でき、また、ヘッドスピード計測装置のセンサ部がいたずら等により破壊されることを防止することができるヘッドスピード計測装置を提供することを目的とする。
【課題を解決するための手段】
【０００６】
本発明は、上記目的を達成するために、
〔１〕ヘッドスピード計測装置において、ゴルフクラブをスイングしたときに前記ゴルフクラブ先端のヘッドの移動状態を周波数に換算し、検知信号として外部に出力するドップラーセンサと、前記検知信号の周波数に基づいてヘッドスピードを算出する速度算出手段と、この速度算出手段にて算出されたヘッドスピードを外部に報知する速度報知手段と、を具備し、ゴルフボール固定手段に設置されたゴルフボールに向かって使用者がゴルフクラブをスイングしたとき、前記ドップラーセンサは使用者から視認できないように前記ゴルフボール固定手段の設置面よりも下方に隠蔽した状態で設置されたことを特徴とする。
【０００７】
〔２〕上記〔１〕記載のヘッドスピード計測装置において、前記速度報知手段は、前記ドップラーセンサとは別体にて備えたことを特徴とする。
【０００８】
〔３〕上記〔１〕又は〔２〕記載のヘッドスピード計測装置において、前記ドップラーセンサと前記速度算出手段を一体化したことを特徴とする。
【発明の効果】
【０００９】
本発明によれば、以下のような効果を奏することができる。
【００１０】
使用者がゴルフクラブのスイングに神経を集中でき、また、ヘッドスピード計測装置のセンサ部がいたずら等により破壊されることを防止することができる。
【発明を実施するための最良の形態】
【００１１】
本発明のヘッドスピード計測装置は、ゴルフクラブをスイングしたときに前記ゴルフクラブ先端のヘッドの移動状態を周波数に換算し、検知信号として外部に出力するドップラーセンサと、前記検知信号の周波数に基づいてヘッドスピードを算出する速度算出手段と、この速度算出手段にて算出されたヘッドスピードを外部に報知する速度報知手段と、を具備し、ゴルフボール固定手段に設置されたゴルフボールに向かって使用者がゴルフクラブをスイングしたとき、前記ドップラーセンサは使用者から視認できないように前記ゴルフボール固定手段の設置面よりも下方に隠蔽した状態で設置される。
【実施例】
【００１２】
以下、図面を参照しながら、本発明の実施の形態について詳細に説明する。
【００１３】
図１は本発明の実施例を示すヘッドスピード計測装置のブロック図、図２は本発明の実施例を示すヘッドスピード計測装置の側面図、図３は本発明の実施例を示すヘッドスピード計測装置の設置例を示す図であり、図３（ａ）はその正面図、図３（ｂ）はその上面図である。
【００１４】
本発明のヘッドスピード計測装置は、ゴルフクラブをスイングしたとき、ゴルフクラブの先端のヘッドの移動状態を周波数に換算し、検知信号として外部に出力するドップラーセンサ１１と、ドップラーセンサ１１から出力された検知信号の周波数に基づいてヘッドスピードを算出する速度算出手段２１と、速度算出手段２１から算出されたヘッドスピードを外部に報知する速度報知手段３１とから構成されている。
【００１５】
ドップラーセンサ１１には、送信波を発生する発振器１２と、送信波を前方に放射してゴルフクラブをスイングしたとき、送信波がヘッドに衝突し反射して戻ってきた反射波を受信波として受信するアンテナ１３と、送信波と受信波の周波数の差分を抽出する検波器１４とを備えている。速度算出手段２１には、ドップラーセンサ１１から出力された検知信号を増幅する増幅回路（図示なし）と、この増幅回路により増幅した検知信号により、ヘッドスピードを算出するＣＰＵ（中央演算処理装置）とを備えている。速度報知手段３１には、速度算出手段２１から出力された速度情報に基づいてヘッドスピードを表示する速度表示部（図示なし）を備えている。
【００１６】
図２に示す本発明のヘッドスピード計測装置は、ドップラーセンサ１１と速度算出手段２１とが一体化している。
【００１７】
ドップラーセンサ１１は、誘電体からなる基板１ａの内部にグランドとして作用する接地電極４が略全面に形成され、基板１ａの一方の表面にはアンテナ１３として作用する薄膜状の電極（図示なし）が形成されている。一般的なマイクロストリップアンテナ構造〔接地電極４との電磁界結合を利用し薄膜状の電極（図示なし）の正面方向に電波を放射する〕を成す。そして、基板１ａの他方の表面に形成された発振器１２にて生成された送信波が給電孔５を介し薄膜状の電極（図示なし）に直接、供給され電波ビームを前方に向かって放射する。
【００１８】
図３に示す本発明のヘッドスピード計測装置は、電波ビームを送受信してゴルフクラブのヘッド４４の移動状態を検出するドップラーセンサ１１と速度算出手段２１（図示なし）とが一体化した計測部を、使用者がゴルフクラブをスイングしたときに視認できないように水平面よりも下方に隠蔽した状態で設置している。そして、ゴルフクラブ４３をスイングしたときに、基板１ａの発振器１２と同一面に形成された検波器１４を介し、ヘッド４４の移動状態を周波数に換算した検知信号が、リード線１５を介して基板１ｂに形成された速度算出手段２１に出力される。そして、速度算出手段２１により検知信号の周波数からヘッドスピードを算出し、計測部とは別の位置に設置された速度算出手段３１によりヘッドスピードを使用者に報知することができる。
【００１９】
本発明のヘッドスピード計測装置は、計測部のうち少なくともドップラーセンサ１１を使用者から視認できないように地面（ゴルフボール固定手段の設置面）４５よりも下方に隠蔽した状態で設置する。従って、使用者がゴルフスイングに神経を集中でき、また、ヘッドスピード計測装置のセンサ部がいたずら等により破壊されることを防止することができる。
【００２０】
また、本発明のヘッドスピード計測装置は、図４に示した従来のヘッドスピード計測装置とは異なり、計測部と速度報知手段３１とを別体にて備えている。従って、使用者から速度表示部（図示なし）が視認しやすい場所に速度報知手段３１を設置することができる。
【００２１】
更に、速度算出手段２１（図示なし）と速度報知手段３１との速度情報のやりとりは無線または有線にて行えば良い。本発明のヘッドスピード計測装置は、ドップラーセンサ１１と速度算出手段２１とを一体化しているため、速度算出手段２１から速度報知手段３１へは速度算出手段２１にて算出された速度情報だけを送信すれば良い。従って、高速な通信性能は不要となり、簡素な通信制御方式を用いることができる。
【００２２】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な様態でも実施することができる。
【００２３】
例えば、本実施例ではドップラーセンサ１１に信号増幅回路やフィルタ回路を備えてはいないが、ドップラーセンサ１１の検波器１４の後段に信号増幅回路やフィルタ回路を備えれば、速度算出手段２１におけるヘッドスピードの算出精度を向上させることができる。
【００２４】
なお、上記した実施例では、ゴルフ場などの屋外の地面にセットされるゴルフボールを打つ場合について述べているが、屋内のスポーツセンターにおいてのゴルフスイング速度計測にも利用することができる。その場合には、ドップラーセンサは使用者から視認できないようにゴルフボール固定手段の設置面（床面）よりも下方に隠蔽した状態で設置することができる。
【００２５】
このように、本発明のヘッドスピード計測装置は、野外のみならず、屋内におけるゲームとしてのヘッドスピード計測にも適用することができる。
【００２６】
なお、本発明は上記実施例に限定されるものではなく、本発明の趣旨に基づき種々の変形が可能であり、これらを本発明の範囲から排除するものではない。
【産業上の利用可能性】
【００２７】
本発明は、ゴルフクラブのスイング速度の向上を図るヘッドスピード計測装置として利用可能である。
【図面の簡単な説明】
【００２８】
【図１】本発明の実施例を示すヘッドスピード計測装置のブロック図である。
【図２】本発明の実施例を示すヘッドスピード計測装置の側面図である。
【図３】本発明の実施例を示すヘッドスピード計測装置の設置例を示す図である。
【図４】従来のヘッドスピード計測装置の斜視図である。
【符号の説明】
【００２９】
１，１ａ，１ｂ    基板
４    接地電極
５    給電孔
１１    ドップラーセンサ
１２    発振器
１３    アンテナ
１４    検波器
１５    リード線
２１    速度算出手段
３１    速度報知手段
４１    ゴルフボール
４２    ゴルフボール固定手段
４３    ゴルフクラブ
４４    ヘッド
４５    地面（ゴルフボール固定手段の設置面）
６１，６１ａ，６１ｂ    センサ素子
６２    表示部
６３    筐体
６４    被検知箔
【図１】
2009101096.tif 000003
【図２】
2009101096.tif 000004
【図３】
2009101096.tif 000005
【図４】
2009101096.tif 000006